(57)【特許請求の範囲】
【請求項１】
リブを有する中底に対し、製甲をつり込み、中底のリブに対して製甲のつり込み部及び細革を掬い縫いし、少なくとも踵部を除いて中底のリブに対応する高さで製甲をカットし、さらに、細革に対して表底を縫い付けるグッドイヤウエルト式製法により製造される靴であって、前記中底として、踏み付け部の屈曲部に対応する部分にリブが形成されてないものが用いられ、前記製甲として、少なくとも裏革に、中底のリブが形成されていない部分に対応する位置に余剰片を有するものが用いられ、前記余剰片が内側または外側に折り曲げられている靴を製造するに際して、
製甲を、中底に対してつり込み、製甲のつり込み部及び細革を、中底のリブに対して掬い縫いする工程と、
前記工程の前若しくは後に、中底に設られているリブの踏み付け部の屈曲部に対応する部分を取り除く工程と、
前記掬い縫いする工程若しくはリブにおける取り除く工程の後に、踏み付け部の屈曲部に当たる製甲のリブ除去部に対応する少なくとも裏革部分に切込みを入れ、この後、切込み間に挟まれた余剰片を除く不要となる甲革及び裏革を切裁する工程と、
前記余剰片を内側または外側に折り曲げる工程と、
細革に対して表底を出縫いにより縫い付ける工程と、
を有する靴の製造方法。
【請求項２】
リブを有する中底に対し、製甲をつり込み、中底のリブに対して製甲のつり込み部及び細革を掬い縫いし、少なくとも踵部を除いて中底のリブに対応する高さで製甲をカットし、さらに、細革に対して表底を縫い付けるグッドイヤウエルト式製法により製造される靴であって、前記中底として、踏み付け部の屈曲部に対応する部分にリブが形成されてないものが用いられ、前記製甲として、少なくとも裏革に、中底のリブが形成されていない部分に対応する位置に余剰片を有するものが用いられ、前記余剰片が内側または外側に折り曲げられており、前記製甲の余剰片が甲革と裏革の両方に設けられ、甲革の余剰片が外側に、裏革の余剰片が内側に夫々折り曲げられている靴を製造するに際して、
製甲を、中底に対してつり込み、製甲のつり込み部及び細革を、中底のリブに対して掬い縫いする工程と、
前記工程の前若しくは後に、中底に設られているリブの踏み付け部の屈曲部に対応する部分を取り除く工程と、
前記掬い縫いする工程若しくはリブにおける取り除く工程の後に、踏み付け部の屈曲部に当たる製甲のリブ除去部に対応する少なくとも裏革部分に切込みを入れ、この後、切込み間に挟まれた余剰片を除く不要となる甲革及び裏革を切裁する工程と、
前記余剰片を内側または外側に折り曲げる工程と、
細革に対して表底を出縫いにより縫い付ける工程と、
を有する靴の製造方法。
【発明の詳細な説明】
【０００１】
【発明の属する技術分野】
本発明は、グッドイヤウエルト式製法により製造される靴に関する。
【０００２】
【従来の技術】
グッドイヤウエルト式製法により製造される靴は、リブを有する中底に対し、甲革及び裏革からなる製甲をつり込み、中底のリブに対して製甲のつり込み部及び細革を掬い縫いし、少なくとも踵部を除いて中底のリブに対応する高さで製甲をカットし、さらに、細革に対して表底を縫い付ける構成である。
【０００３】
この靴の製造手順としては、先ず上述した製甲のつり込み、掬い縫いを行い、その後、不要甲革を切裁し、次に、表底の仮貼りを行って、細革に対して表底を出縫いする。
【０００４】
【発明が解決しようとする課題】
しかし、このようなグッドイヤウエルト式製法により製造される靴にあっては、構造的に丈夫で安定性があり、型崩れし難いため、履き心地が良い等という利点を有する反面、中底にリブが設けられている構成によって、屈曲性で限界がある。
【０００５】
すなわち、グッドイヤウエルト式製法は、上述したように掬い縫いによって中底のリブと製甲とが、がっちりと縫い合わされており、曲がり難い構造となっている。
【０００６】
本発明は上記した課題を解消するためになされたものであり、中底のリブに対して製甲のつり込み部及び細革を掬い縫いするグッドイヤウエルト式製法により製造される靴であって、中底にリブを有することによる利点を奏しつつ、屈曲性を向上できる靴及びこの靴を効率良く製造し得る製造方法を提供することを目的とする。
【０００７】
【課題を解決するための手段】
上記した目的を達成するため本発明は以下の靴の製造方法を提供する。
【０００８】
リブを有する中底に対し、製甲をつり込み、中底のリブに対して製甲のつり込み部及び細革を掬い縫いし、少なくとも踵部を除いて中底のリブに対応する高さで製甲をカットし、さらに、細革に対して表底を縫い付けるグッドイヤウエルト式製法により製造される靴であって、前記中底として、踏み付け部の屈曲部に対応する部分にリブが形成されてないものが用いられ、前記製甲として、少なくとも裏革に、中底のリブが形成されていない部分に対応する位置に余剰片を有するものが用いられ、前記余剰片が内側または外側に折り曲げられている靴を製造するに際して、
製甲を、中底に対してつり込み、製甲のつり込み部及び細革を、中底のリブに対して掬い縫いする工程と、
前記工程の前若しくは後に、中底に設られているリブの踏み付け部の屈曲部に対応する部分を取り除く工程と、
前記掬い縫いする工程若しくはリブにおける取り除く工程の後に、踏み付け部の屈曲部に当たる製甲のリブ除去部に対応する少なくとも裏革部分に切込みを入れ、この後、切込み間に挟まれた余剰片を除く不要となる甲革及び裏革を切裁する工程と、
前記余剰片を内側または外側に折り曲げる工程と、
細革に対して表底を出縫いにより縫い付ける工程と、
を有する靴の製造方法。
【０００９】
リブを有する中底に対し、製甲をつり込み、中底のリブに対して製甲のつり込み部及び細革を掬い縫いし、少なくとも踵部を除いて中底のリブに対応する高さで製甲をカットし、さらに、細革に対して表底を縫い付けるグッドイヤウエルト式製法により製造される靴であって、前記中底として、踏み付け部の屈曲部に対応する部分にリブが形成されてないものが用いられ、前記製甲として、少なくとも裏革に、中底のリブが形成されていない部分に対応する位置に余剰片を有するものが用いられ、前記余剰片が内側または外側に折り曲げられており、前記製甲の余剰片が甲革と裏革の両方に設けられ、甲革の余剰片が外側に、裏革の余剰片が内側に夫々折り曲げられている靴を製造するに際して、
製甲を、中底に対してつり込み、製甲のつり込み部及び細革を、中底のリブに対して掬い縫いする工程と、
前記工程の前若しくは後に、中底に設られているリブの踏み付け部の屈曲部に対応する部分を取り除く工程と、
前記掬い縫いする工程若しくはリブにおける取り除く工程の後に、踏み付け部の屈曲部に当たる製甲のリブ除去部に対応する少なくとも裏革部分に切込みを入れ、この後、切込み間に挟まれた余剰片を除く不要となる甲革及び裏革を切裁する工程と、
前記余剰片を内側または外側に折り曲げる工程と、
細革に対して表底を出縫いにより縫い付ける工程と、
を有する靴の製造方法。
【００１０】
【発明の実施の形態】
以下、図面に示した実施の形態に基づき本発明をさらに詳細に説明する。図１は、本発明の一の実施の形態にかかる靴の構成を示す図であり、（Ａ）は、靴の爪先部分の一部破断の斜視図、（Ｂ）は、踏み付け部の屈曲部分の同斜視図である。
【００１１】
これらの図において、グッドイヤウエルト式製法により製造される靴１は、リブ３を有する中底２と、甲革４Ａと裏革４Ｂとからなる製甲４と、細革５と、表底６と、中物７とから構成される。
【００１２】
前記製甲４は、図１（Ａ）に示すように、中底２に対してつり込まれ、製甲４のつり込み部及び細革５は、中底２のリブ３に対してを掬い縫いされる。ａは、掬い縫い糸（チェーンステッチ）である。
【００１３】
また、製甲４は、少なくとも踵部を除いて中底２のリブ３に対応する高さでカットされ、さらに、表底６は細革５に対してを縫い付けられる。ｂは、出縫い糸（フックステッチ）である。
【００１４】
前記中底２は、従来、踵部を除く部分、すなわち、靴の爪先部から踏み付け部を経て踏まず部に至る部分にリブが形成されているが、本実施の形態においては、図２に示すように、踏み付け部の屈曲部Ａに対応する部分にリブ３が形成されてないものが用いられる。
【００１５】
この場合、中底２にリブ３を従来通りの範囲に形成しておき、後にリブ３の踏み付け部の屈曲部Ａに対応する部分を切り抜いて、リブ３の形成されていない部分（以下、リブ取除部と言う）Ｂを作る（図２参照）。
【００１６】
前記製甲４は、その甲革４Ａと裏革４Ｂの両方に、前記中底２のリブ取除部Ｂに対応する位置に余剰片４ａ，４ｂを有しており、この余剰片４ａ，４ｂは内側または外側に折り曲げられている。
【００１７】
かかる靴の詳細構造をその製造手順を説明しつつ述べる。靴を製造するに際して、先ず、製甲４を、中底２に対してつり込み、製甲４のつり込み部及び細革５を、中底２のリブ３に対してを掬い縫いする（図３参照）。
【００１８】
次に、中底２に設られているリブ３の踏み付け部の屈曲部Ａに対応する部分Ｃを取り除く（図４参照）。この場合、掬い縫い糸ａも含めて切り抜くようにするが、図４上、掬い縫い糸ａの下方を切っても良く、この場合には、多少リブ３が残存するため屈曲性に劣ることなるが、掬い縫い糸ａが途中で切れることがないという利点がある。また、中底２として、予め、リブ３の所定部分を取り除いたものを使用しても良い。なお、上述した掬い縫いの工程と、リブ３の所定部分を取り除く工程の順序を入替えても良い。
【００１９】
次に、リブ取除部Ｂ位置に対応する甲革４Ａ及び裏革４Ｂ部分に切込みＤを入れ、この後、切込み部間の甲革４Ａ及び裏革４Ｂ、すなわち、余剰片４ａ，４ｂを中底２側に折り込み、この余剰片４ａ，４ｂを除く部分であって、不要となる甲革４Ａ及び裏革４Ｂを切裁する。また、好ましくは、本実施の形態のように、甲革４Ａの厚み分だけ細革５裏面の余剰片４ａに対応する部分Ｅをグラインダ等で削り取る（図４参照）。なお、上述した切込みを入れ、余剰片４ａ，４ｂを折込み、かつ切裁する工程と、細革５裏面を削り取る工程の順序を入替えても良い。
【００２０】
次に、内側に折り曲げた裏革４Ｂの余剰片４ｂを中底２に対して固着し、甲革４Ａの余剰片４ａを外側に折り曲げて外側に出し、細革５裏面の前記削り取った部分Ｅに当てる（図５参照）。
【００２１】
この後、中底２裏側に中物７を配してから、表底６を仮貼りし、細革５に対して表底６を出縫いにより縫い付ける。この場合、甲革４Ａの余剰片４ａは細革５と表底６との間に挟まれた状態で縫い付けられる（図６参照）。
【００２２】
このように、中底２に設られているリブ３の踏み付け部の屈曲部Ａに対応する部分を取り除いたことによって、靴が曲がり易くなり、屈曲性を高めることができる。また、リブ３のある部分では、掬い縫いによって中底２のリブ３と製甲４とが、がっちりと縫い合わされているため、型崩れし難く、履き心地が良い等という利点を従来通りに維持できる。
【００２３】
上記の実施の形態においては、リブ３が形成されていない部分に対応する甲革４Ａの余剰片４ａを外側に出してステッチダウン式と同じように、表底６に縫い付けるようにしているため、細革５と表底６との間から水等が侵入し難くなると共に、長期使用による細革５のへたりも抑えられるという利点を有する。しかしながら、甲革４Ａの余剰片４ａを内側に出して、裏革４Ｂの余剰片４ｂと共に中底２に対してつり込んでも良く、屈曲性を高められる点では、上記の実施の形態と同じである。
【００２４】
また、図７に示すように、裏革４Ｂのみに余剰片４ｂを設け、甲革４Ａに余剰片のない構造としても良く、この場合も、屈曲性を高められる点では、上記の実施の形態と同じである。
【００２５】
【発明の効果】
本発明の靴及びその製造方法によれば、中底のリブに対して製甲のつり込み部及び細革を掬い縫いするグッドイヤウエルト式製法により製造される靴において、中底にリブを有することにより型崩れし難く、履き心地が良い等という利点を奏しつつ、屈曲性を向上させた靴を提供することができる。
【００２６】
特に、前記製甲の余剰片が甲革と裏革の両方に設けられ、甲革の余剰片が外側に、裏革の余剰片が内側に夫々折り曲げられている構成とすれば、屈曲性を高めつつ、外部からの水等の侵入防止にも効果的である。
【図面の簡単な説明】
【図１】図１は、本発明の靴の一の実施の形態を示す図で、（Ａ）は靴の爪先部分の一部破断の斜視図、（Ｂ）は踏み付け部の屈曲部分の同斜視図である。
【図２】図２は、同上の実施形態における中底の構成を示す図で、（Ａ）は中底の底面図、（Ｂ）は中底のリブを側面から見た図である。
【図３】図３は、本発明の靴の製造方法の一の実施の形態を説明するための、踏み付け部の屈曲部分の一部破断の斜視図であって、中底のリブに製甲を掬い縫いした状態を示す図である。
【図４】図４は、本発明の靴の製造方法の一の実施の形態を説明するための、踏み付け部の屈曲部分の一部破断の斜視図であって、製甲の余剰片に切り込みを入れた状態を示す図である。
【図５】図５は、本発明の靴の製造方法の一の実施の形態を説明するための、踏み付け部の屈曲部分の一部破断の斜視図であって、余剰片を折り曲げた状態を示す図である。
【図６】図６は、本発明の靴の製造方法の一の実施の形態を説明するための、踏み付け部の屈曲部分の一部破断の斜視図であって、表底を取り付けた状態を示す図である。
【図７】図７は、本発明の靴の製造方法の他の実施の形態を説明するための図で、踏み付け部の屈曲部分の一部破断の斜視図である。
【符号の説明】
１  靴
２  中底
３  リブ
４  製甲
４Ａ  甲革
４Ｂ  裏革
４ａ，４ｂ  余剰片
５  細革
６  表底
Ａ  屈曲部
Ｂ  リブ取除部
【図１】
0003908305.tif 000002
【図２】
0003908305.tif 000003
【図３】
0003908305.tif 000004
【図４】
0003908305.tif 000005
【図５】
0003908305.tif 000006
【図６】
0003908305.tif 000007
【図７】
0003908305.tif 000008